(57)【特許請求の範囲】
【請求項１】
複数の表示装置が２行×２列に並べて配置されたマルチディスプレイ装置を制御する表示制御装置であって、
表示データが入力される入力データ処理部と、
前記入力データ処理部によって入力された前記表示データを記憶可能なメモリと、
前記表示データのうち当該表示制御装置に対応する対応表示装置に表示すべき部分表示データを指定する情報を含んだ制御データが入力される制御データ処理部と、
前記メモリに記憶された前記部分表示データを前記対応表示装置へ出力するデータ出力部と、
前記マルチディスプレイ装置中の表示装置の配置順序に沿って前記対応表示装置の右側に他の表示装置が隣接する場合に、水平同期信号から前記表示データがスタートする位置のドット数から、前記対応表示装置の非表示領域のうち前記他の表示装置が隣接する右側の非表示領域のドット換算値を減算した値を設定し、前記配置順序に沿って前記対応表示装置の左側に他の表示装置が隣接する場合に、前記水平同期信号から前記表示データがスタートする位置のドット数と、前記左側の他の表示装置の部分表示データのドット数と、前記対応表示装置の非表示領域のうち前記他の表示装置が隣接する左側の非表示領域のドット換算値を加算した値を設定するための水平書込み位置スタートレジスタと、
前記マルチディスプレイ装置中の表示装置の配置順序に沿って前記対応表示装置の下側に他の表示装置が隣接する場合に、垂直同期信号から前記表示データがスタートする位置のライン数から、前記対応表示装置の非表示領域のうち前記他の表示装置が隣接する下側の非表示領域のライン換算値を減算した値を設定し、前記配置順序に沿って前記対応表示装置の上側に他の表示装置が隣接する場合に、前記垂直同期信号から前記表示データがスタートする位置のライン数と、前記上側の他の表示装置の部分表示データのライン数と、前記対応表示装置の非表示領域のうち前記他の表示装置が隣接する上側の非表示領域のライン換算値を加算した値を設定するための垂直書込み位置スタートレジスタと、
前記対応表示装置の部分表示データのドット数を設定するための水平書込み幅レジスタと、
前記対応表示装置の部分表示データのライン数を設定するための垂直書込み幅レジスタと、
前記制御データに従って、前記部分表示データを前記対応表示装置へ出力するように前記出力部を制御する制御部と、を有し、
前記制御部は、前記水平書込み位置スタートレジスタに設定された値と前記垂直書込み位置スタートレジスタに設定された値と前記水平書込み幅レジスタに設定された値と前記垂直書込み幅レジスタに設定された値とに従って、前記入力データ処理部によって入力された前記表示データを前記部分表示データとして前記メモリに書き込むことを特徴とする表示制御装置。
【請求項２】
請求項１記載の表示制御装置において、
前記制御データには識別データが含まれ、
前記制御部は、前記記憶部が保持する識別データと、前記制御データに含まれる制御データが一致する場合に、前記部分表示データを前記表示装置へ出力するよう前記出力部を制御することを特徴とする表示制御装置。
【請求項３】
複数の表示装置が２行×２列に並べて配置されたマルチディスプレイ装置を制御する表示制御装置であって、
表示データが入力される複数の入力データ処理部と、
制御データが入力される制御データ処理部と、
前記制御データに従って、前記複数の入力データ処理部のうちいずれか一つを選択する表示データ切替え回路と、
前記表示データ切替え回路で選択された入力データ処理部によって入力された前記表示データを記憶可能なメモリと、
前記メモリに記憶された前記表示データを当該表示制御装置に対応する対応表示装置に出力する出力部と、
前記マルチディスプレイ装置中の表示装置の配置順序に沿って前記対応表示装置の右側に他の表示装置が隣接する場合に、水平同期信号から前記表示データがスタートする位置のドット数から、前記対応表示装置の非表示領域のうち前記他の表示装置が隣接する右側の非表示領域のドット換算値を減算した値を設定し、前記配置順序に沿って前記対応表示装置の左側に他の表示装置が隣接する場合に、前記水平同期信号から前記表示データがスタートする位置のドット数と、前記左側の他の表示装置に表示すべき表示データのドット数と、前記対応表示装置の非表示領域のうち前記他の表示装置が隣接する左側の非表示領域のドット換算値を加算した値を設定するための水平書込み位置スタートレジスタと、
前記マルチディスプレイ装置中の表示装置の配置順序に沿って前記対応表示装置の下側に他の表示装置が隣接する場合に、垂直同期信号から前記表示データがスタートする位置のライン数から、前記対応表示装置の非表示領域のうち前記他の表示装置が隣接する下側の非表示領域のライン換算値を減算した値を設定し、前記配置順序に沿って前記対応表示装置の上側に他の表示装置が隣接する場合に、前記垂直同期信号から前記表示データがスタートする位置のライン数と、前記上側の他の表示装置に表示すべき表示データのライン数と、前記対応表示装置の非表示領域のうち前記他の表示装置が隣接する上側の非表示領域のライン換算値を加算した値を設定するための垂直書込み位置スタートレジスタと、
前記対応表示装置に表示すべき表示データのドット数を設定するための水平書込み幅レジスタと、
前記対応表示装置に表示すべき表示データのライン数を設定するための垂直書込み幅レジスタと、
前記水平書込み位置スタートレジスタに設定された値と前記垂直書込み位置スタートレジスタに設定された値と前記水平書込み幅レジスタに設定された値と前記垂直書込み幅レジスタに設定された値とに従って、前記入力データ処理部によって入力された前記表示データを前記メモリに書き込む制御部を有することを特徴とする表示制御装置。
【請求項４】
複数の表示装置が２行×２列に並べて配置されたマルチディスプレイ装置を制御する表示制御装置であって、
表示データが入力される入力データ処理部と、
制御データが入力される制御データ処理部と、
前記入力された表示データを当該表示制御装置に対応する対応表示装置に出力する出力部と、
前記出力部を制御する制御部と、
前記マルチディスプレイ装置中の表示装置の配置順序に沿って前記対応表示装置の右側に他の表示装置が隣接する場合に、水平同期信号から前記表示データがスタートする位置のドット数から、前記対応表示装置の非表示領域のうち前記他の表示装置が隣接する右側の非表示領域のドット換算値を減算した値を設定し、前記配置順序に沿って前記対応表示装置の左側に他の表示装置が隣接する場合に、前記水平同期信号から前記表示データがスタートする位置のドット数と、前記左側の他の表示装置に表示すべき表示データのドット数と、前記対応表示装置の非表示領域のうち前記他の表示装置が隣接する左側の非表示領域のドット換算値を加算した値を設定するための水平書込み位置スタートレジスタと、
前記マルチディスプレイ装置中の表示装置の配置順序に沿って前記対応表示装置の下側に他の表示装置が隣接する場合に、垂直同期信号から前記表示データがスタートする位置のライン数から、前記対応表示装置の非表示領域のうち前記他の表示装置が隣接する下側の非表示領域のライン換算値を減算した値を設定し、前記配置順序に沿って前記対応表示装置の上側に他の表示装置が隣接する場合に、前記垂直同期信号から前記表示データがスタートする位置のライン数と、前記上側の他の表示装置に表示すべき表示データのライン数と、前記対応表示装置の非表示領域のうち前記他の表示装置が隣接する上側の非表示領域のライン換算値を加算した値を設定するための垂直書込み位置スタートレジスタと、
前記対応表示装置に表示すべき表示データのドット数を設定するための水平書込み幅レジスタと、
前記対応表示装置に表示すべき表示データのライン数を設定するための垂直書込み幅レジスタとを有し、
更に前記出力部は、前記入力データ処理部によって入力された前記表示データを記憶する表示データ記憶部を有し、
前記制御部は、前記水平書込み位置スタートレジスタに設定された値と前記垂直書込み位置スタートレジスタに設定された値と前記水平書込み幅レジスタに設定された値と前記垂直書込み幅レジスタに設定された値とに従って、前記入力データ処理部によって入力された前記表示データを前記表示データ記憶部に書き込み、
前記制御部は、前記制御データに含まれる、表示データの出力を固定する命令を保持することが可能な記憶部を有し、前記記憶部に前記命令が保持されている間、前記表示データを前記表示データ記憶部から読み出す処理を固定するよう、前記出力部を制御することを特徴とする表示制御装置。
【請求項５】
複数の表示装置が２行×２列に並べて配置されたマルチディスプレイ装置のうちの一つの表示装置であって、
画像を表示する表示部と、
表示データを前記表示部へ出力する表示制御部と、を有し、
前記表示制御部は、
前記表示データが入力される入力データ処理部と、
前記入力データ処理部によって入力された前記表示データを記憶可能なメモリと、
制御データが入力される制御データ処理部と、
並べて配置された複数の表示装置の何処に該表示装置が配置されているかに関するデータを保持することが可能な記憶部と、
前記マルチディスプレイ装置中の表示装置の配置順序に沿って前記対応表示装置の右側に他の表示装置が隣接する場合に、水平同期信号から前記表示データがスタートする位置のドット数から、前記対応表示装置の非表示領域のうち前記他の表示装置が隣接する右側の非表示領域のドット換算値を減算した値を設定し、前記配置順序に沿って前記対応表示装置の左側に他の表示装置が隣接する場合に、前記水平同期信号から前記表示データがスタートする位置のドット数と、前記左側の他の表示装置に表示すべき表示データのドット数と、前記対応表示装置の非表示領域のうち前記他の表示装置が隣接する左側の非表示領域のドット換算値を加算した値を設定するための水平書込み位置スタートレジスタと、
前記マルチディスプレイ装置中の表示装置の配置順序に沿って前記対応表示装置の下側に他の表示装置が隣接する場合に、垂直同期信号から前記表示データがスタートする位置のライン数から、前記対応表示装置の非表示領域のうち前記他の表示装置が隣接する下側の非表示領域のライン換算値を減算した値を設定し、前記配置順序に沿って前記対応表示装置の上側に他の表示装置が隣接する場合に、前記垂直同期信号から前記表示データがスタートする位置のライン数と、前記上側の他の表示装置に表示すべき表示データのライン数と、前記対応表示装置の非表示領域のうち前記他の表示装置が隣接する上側の非表示領域のライン換算値を加算した値を設定するための垂直書込み位置スタートレジスタと、
前記対応表示装置に表示すべき表示データのドット数を設定するための水平書込み幅レジスタと、
前記対応表示装置に表示すべき表示データのライン数を設定するための垂直書込み幅レジスタとを有し、
前記表示制御部は、前記水平書込み位置スタートレジスタに設定された値と前記垂直書込み位置スタートレジスタに設定された値と前記水平書込み幅レジスタに設定された値と前記垂直書込み幅レジスタに設定された値とに従って、前記入力データ処理部によって入力された前記表示データを前記メモリに書き込み、
前記表示制御装置は、前記記憶部に保持されたデータと前記入力された制御データに含まれるデータが一致する場合に、前記表示部へ前記表示データを出力することを特徴とする表示装置。
【請求項６】
２行×２列に並べて配置した複数の表示部と、各々の表示部の表示を制御する前記各々の表示部に対応した表示制御部と、を有するマルチディスプレイ装置であって、
前記各々の表示制御部は、
該表示制御部に対応する対応表示部が、２行×２列に並べて配置した中で何処に位置するかを示す情報を保持する事が可能な記憶部と、
前記対応表示部に表示すべき表示データを記憶可能なメモリと、
前記複数の表示部の配置順序に沿って前記対応表示部の右側に他の表示部が隣接する場合に、水平同期信号から前記表示データがスタートする位置のドット数から、前記対応表示部の非表示領域のうち前記他の表示部が隣接する右側の非表示領域のドット換算値を減算した値を設定し、前記配置順序に沿って前記対応表示部の左側に他の表示部が隣接する場合に、前記水平同期信号から前記表示データがスタートする位置のドット数と、前記左側の他の表示部が表示すべき表示データのドット数と、前記対応表示部の非表示領域のうち前記他の表示部が隣接する左側の非表示領域のドット換算値を加算した値を設定するための水平書込み位置スタートレジスタと、
前記複数の表示部の配置順序に沿って前記対応表示部の下側に他の表示部が隣接する場合に、垂直同期信号から前記表示データがスタートする位置のライン数から、前記対応表示部の非表示領域のうち前記他の表示部が隣接する下側の非表示領域のライン換算値を減算した値を設定し、前記配置順序に沿って前記対応表示部の上側に他の表示部が隣接する場合に、前記垂直同期信号から前記表示データがスタートする位置のライン数と、前記上側の他の表示部が表示すべき表示データのライン数と、前記対応表示部の非表示領域のうち前記他の表示部が隣接する上側の非表示領域のライン換算値を加算した値を設定するための垂直書込み位置スタートレジスタと、
前記対応表示部の表示データのドット数を設定するための水平書込み幅レジスタと、
前記対応表示部の表示データのライン数を設定するための垂直書込み幅レジスタとを有し、
前記各々の表示制御部は、前記水平書込み位置スタートレジスタに設定された値と前記垂直書込み位置スタートレジスタに設定された値と前記水平書込み幅レジスタに設定された値と前記垂直書込み幅レジスタに設定された値とに従って、前記表示データを前記メモリに書き込み、
前記各々の表示制御部は、前記メモリから前記表示データを読み出し、読み出した前記表示データを前記対応表示部へ出力することを特徴とするマルチディスプレイ装置。
【請求項７】
２行×２列に並べて配置した複数の表示部と、
各々の表示部の表示を制御する前記各々の表示部に対応した表示制御部と、
前記各々の表示制御部へ、前記２行×２列に並べて配置した複数の表示部の各々の位置を示す情報を含む制御データを送る制御装置と、を有し、
前記各々の表示制御部は、
各々の表示制御部に対応する対応表示部の２行×２列に並べて配置された位置に関する情報を保持する記憶部と、
前記対応表示部に表示すべき表示データを記憶可能なメモリと、
前記複数の表示部の配置順序に沿って前記対応表示部の右側に他の表示部が隣接する場合に、水平同期信号から前記表示データがスタートする位置のドット数から、前記対応表示部の非表示領域のうち前記他の表示部が隣接する右側の非表示領域のドット換算値を減算した値を設定し、前記配置順序に沿って前記対応表示部の左側に他の表示部が隣接する場合に、前記水平同期信号から前記表示データがスタートする位置のドット数と、前記左側の他の表示部が表示すべき表示データのドット数と、前記対応表示部の非表示領域のうち前記他の表示部が隣接する左側の非表示領域のドット換算値を加算した値を設定するための水平書込み位置スタートレジスタと、
前記複数の表示部の配置順序に沿って前記対応表示部の下側に他の表示部が隣接する場合に、垂直同期信号から前記表示データがスタートする位置のライン数から、前記対応表示部の非表示領域のうち前記他の表示部が隣接する下側の非表示領域のライン換算値を減算した値を設定し、前記配置順序に沿って前記対応表示部の上側に他の表示部が隣接する場合に、前記垂直同期信号から前記表示データがスタートする位置のライン数と、前記上側の他の表示部が表示すべき表示データのライン数と、前記対応表示部の非表示領域のうち前記他の表示部が隣接する上側の非表示領域のライン換算値を加算した値を設定するための垂直書込み位置スタートレジスタと、
前記対応表示部の表示データのドット数を設定するための水平書込み幅レジスタと、
前記対応表示部の表示データのライン数を設定するための垂直書込み幅レジスタとを有し、
前記各々の表示制御部は、前記水平書込み位置スタートレジスタに設定された値と前記垂直書込み位置スタートレジスタに設定された値と前記水平書込み幅レジスタに設定された値と前記垂直書込み幅レジスタに設定された値とに従って、前記表示データを前記メモリに書き込み、
前記各々の表示制御部は、前記メモリから前記表示データを読み出し、読み出した前記表示データを前記対応表示部へ出力することを特徴とするマルチディスプレイシステム。
【発明の詳細な説明】
【０００１】
【発明の属する技術分野】
本発明は、複数枚の表示装置で構成するマルチディスプレイに係わり、特に安価な構成で、拡大表示、高精細表示を実現する表示制御装置、マルチディスプレイ装置及びマルチディスプレイシステムに関するものである。
【０００２】
【従来の技術】
従来のマルチディスプレイシステムに関して、特開平１０−１８７１０９「マルチディスプレイシステム」に記載されている様な構成をとっている。この従来のマルチディスプレイシステムを図２を用いて説明する。
【０００３】
図２において、２０１はモニタ部であり、２０２は画像入力部であり、２０３はＡ／Ｄコンバータであり、２０４は記憶選択部であり、２０５は画像メモリａであり、２０６は画像メモリｂであり、２０７は切り替え演算部であり、２０８はＤ／Ａコンバータであり、２０９は表示部であり、２１０は制御信号受信部であり、２１１はデコード部であり、２１２は受信制御信号メモリであり、２１３はＩＤ設定部であり、２１４はモニタシステムメモリであり、２１５はモニタ制御部である。
【０００４】
２１６は画像送信部であり、２１７は画像信号発生部であり、２１９は制御信号送出部であり、２２０は制御信号合成部であり、２２１は同期調整部であり、２２２はモニタＩＤ登録部であり、２２３はプログラムコード発生部であり、２２４はフレーム番号発生部であり、２２５はシステムメモリであり、２２６は制御部であり、２２７はモニタ制御プログラムメモリである。
【０００５】
２２８は、画像信号回線であり、２２９は制御信号回線である。
【０００６】
次に、図２記載の従来例の動作に関して説明する。
【０００７】
画像送信部２１６の画像信号発生部２１７は、カメラ、ＶＴＲ、ＰＣなどの映像信号を予め編集し、複数のモニタ部で表示サービスする全ての画像データを連続した静止画像のアナログ画像信号とし、画像送出部２１７から画像信号回線２２８に送出する。また、モニタ部２０１の制御の為に、モニタＩＤ登録部２２２、プログラムコード発生部２２３、画像のフレーム番号発生部２２４、モニタ制御プログラムメモリ２２７の各データを制御信号合成部２２０で合成し、この合成したデジタル制御信号は、同期調整部２２１で、画像送出部２１７から出力される画像データに同期させられ、モニタ部２０１に転送される。
【０００８】
画像信号回路２２８から転送される画像データは、制御信号回路２２９から転送される制御信号に応じて動作する。画像データは、Ａ／Ｄコンバータ２０３でデジタル画像データに変換され、記憶選択回路２０４を介して、画像メモリａ２０５または画像メモリｂ２０６に記憶される。記憶したデジタル画像データは、切り替え演算部２０７を介して読み出され、Ｄ／Ａコンバータ２０８を介して、表示部２０９に表示される。
【０００９】
この様に画像送信部２１６から出力する画像データに同期したかたちで、この画像データのフレーム番号、表示するモニタ部２０１のＩＤなどを制御信号として送信することから、複数のモニタ部２０１への表示が可能になっていた。
【００１０】
【発明が解決しようとする課題】
従来のマルチディスプレイシステムにおいて、各画像データにフレーム番号及びＩＤ番号を付加する必要があることから、静止画像しか送信することが出来なかった。
【００１１】
また、表示データ毎に対応する表示装置のＩＤ番号を添付する必要があったことから、表示データを加工する時点で煩雑な作業を必要とした。
【００１２】
更にまた、複数の表示装置にまたがって、１つの表示データを連続的に表示する手段が、表示装置側に設けられていなかったことから、表示データの配信側で、その作業を実施する必要性があった。
【００１３】
本発明の目的は、複数の液晶ディスプレイで構成するマルチディスプレイにおいて、安価な構成で、拡大表示、高精細表示を実現する表示制御装置、表示装置、マルチディスプレイ装置、マルチディスプレイ装置及びマルチディスプレイシステムを提供することにある。
【００１４】
【課題を解決するための手段】
上記目的を達成するために、本件発明は以下の構成を有する。
【００１５】
表示装置を制御する表示制御装置であって、表示データが入力される入力データ処理部と、前記表示データの部分表示データを指定する情報を含んだ制御データが入力される制御データ処理部と、前記入力された表示データを前記表示装置へ出力するデータ出力部と、前記制御データに従って、前記部分表示データを前記表示装置へ出力するように前記出力部を制御する制御部とを有する構成である。
【００１６】
また、上記表示制御装置において、前記制御部は識別データを保持することが可能な記憶部を有し、前記記憶部が保持する識別データと、前記制御データに含まれる前記情報に応答して、前記部分表示データを前記表示装置へ出力するよう前記出力部を制御することを特徴とする構成とすることも出来る。
【００１７】
さらに、前記表示制御装置において、前記制御データには識別データが含まれ、前記制御部は前記記憶部が保持する識別データと、前記制御データに含まれる制御データが一致する場合に、前記部分表示データを前記表示装置へ出力するよう前記出力部を制御する構成とすることも出来る。
【００１８】
また、表示装置を制御する表示制御装置であって、表示データが入力される複数の入力データ処理部と、制御データが入力される制御データ処理部と、前記制御データに従って、前記複数の入力データ処理部のうちいずれか一つを選択する表示データ切替え回路と、前記表示データ切替え回路で選択された前記表示データを前記表示装置に出力する出力部と、
を有する構成としてもよい。
【００１９】
また、表示装置を制御する表示制御装置であって、表示データが入力される入力データ処理部と、制御データが入力される制御データ処理部と、前記入力された表示データを出力する出力部と、前記出力部を制御する制御部とを有し、更に前記出力部は、前記入力された表示データを記憶する表示データ記憶部を有し、前記制御部は、前記制御データに含まれる、表示データの入力を停止する命令を保持することが可能な記憶部を有し、前記記憶部に前記命令が保持されている間、前記表示データを前記表示データ記憶部に記憶する処理を停止するよう、前記出力部を制御することを特徴とする構成も考えられる。
【００２０】
さらに、並べて配置された複数の表示装置のうちの一つの表示装置であって、画像を表示する表示部と、前記表示部へ表示データを出力する表示制御部と、
を有し、前記表示制御部は、前記表示データが入力される入力データ処理部と、制御データが入力される制御データ処理部と、並べて配置された複数の表示装置の何処に該表示装置が配置されているかに関するデータを保持することが可能な記憶部とを有し、
前記記憶部に保持されたデータと前記入力された制御データに含まれるデータが一致する場合に、前記表示部へ前記表示データを出力することを特徴とする構成も本発明に含まれる。
【００２１】
また、Ｍ×Ｎ列に並べて配置した複数の表示部と、前記複数の表示部の表示を制御する各々の表示制御部とを有するマルチディスプレイ装置であって、前記各々の表示制御部は、該表示制御部に対応する前記表示部が、Ｍ×Ｎ列に並べて配置した中で何処に位置するかを示す情報を保持する事が可能な記憶部を有することを特徴とする構成を有するマルチディスプレイ装置も本件発明に含まれる。
【００２２】
さらに、Ｍ×Ｎ列に並べて配置した複数の表示部と、前記複数の表示部の表示を制御する各々の表示制御部と、前記各々の表示制御部へ前記Ｍ×Ｎ列に並べて配置した複数の表示部の各々の位置を示す情報を含む制御データを送る制御装置とを有し、前記各々の制御部は、各々の制御部に対応する前記表示部のＭ×Ｎ列に並べて配置された位置に関する情報を保持する記憶部を有することを特徴とするマルチディスプレイシステムも考えられる。
【００２３】
また、Ｍ×Ｎ列に並べて配置された複数の表示装置へ画像を表示する方法であって、前記複数の表示装置各々と、前記複数の表示装置への画像の表示を制御する装置とが、お互いに前記複数の表示装置各々がＭ×Ｎ列に並べられた配置の何処に位置しているかを示す情報を保持し、前記制御する装置が送信する制御データに前記配置の何処に位置しているかを示す情報を前記複数の表示装置各々へ送信し、前記送信された前記配置の何処に位置しているかを示す情報を前記表示装置各々が受信し、前記各々の表示装置は前記送信された配置の何処に位置しているかを示す情報と、該表示装置が保持している配置の何処に位置しているかを示す情報とを比較し、各々の情報が一致する場合に、該各々の表示装置が該装置に送信された画像の任意の部分を表示することを特徴とする画像を表示する方法も本件発明に含まれる。
【００２４】
さらに、複数の表示部を有する表示装置と接続された情報処理装置であって、前記複数の表示部の配置に関するデータを入力する入力手段と、前記入力された配置に関するデータを保持する記憶手段と、前記記憶手段によって記憶された配置に関するデータを用いて、前記複数の表示部への画像の表示位置を決定する決定手段と、前記決定手段によって決定された表示位置に従う制御データを前記表示装置へ送信する送信手段とを有することを特徴とする複数の表示部を有する表示装置と接続された情報処理装置も考えられる。
【００２５】
さらに、複数の表示部への表示を制御する表示制御方法であって、前記複数の表示部の配置に関するデータを入力し、前記入力された配置に関するデータを保持し、前記保持された配置に関するデータを使用して前記複数の表示部への画像の表示位置を決定し、前記決定された表示位置に従う制御データを前記表示装置に送信することを特徴とする表示を制御する表示制御方法も本件発明に含まれる。
【００２６】
【発明の実施の形態】
本発明のマルチディスプレイの第一の実施例を図１並びに図３から図８を用いて説明する。
【００２７】
図１は、本発明のマルチディスプレイのブロック図である。図３は、入力する表示データフォーマットと液晶パネル４枚構成（同一表示画面）時の各レジスタの設定値概要である。図４は、図３記載の各レジスタ設定値で表示した際の表示例である。図５は、入力する表示データフォーマットと液晶パネル４枚構成（表示補正無し）時の各レジスタの設定値概要である。図６は、図５記載の各レジスタ設定値で表示した際の表示例（拡大表示例）である。図７は、入力する表示データフォーマットと液晶パネル４枚構成（表示補正有り）時の各レジスタの設定値概要である。図８は、図７記載の各レジスタ設定値で表示した際の表示例（拡大表示例）である。
【００２８】
次に、図１から、その詳細な動作に関して説明する。
【００２９】
図１において、１０１は本件発明の表示制御装置に対応するマルチディスプレイインタフェース回路であり、１０２は表示装置に対応する液晶パネルである。本実施例では液晶パネルを用いて説明するが、他の表示装置、例えばＣＲＴ、プラズマディスプレイでもかまわない。添数字−１、−２、……、−ｎは、マルチディスプレイインタフェース回路１０１、液晶パネル１０２が複数（ｎ個：ｎは１以上の整数値）存在していることを示している。
【００３０】
尚、本願では、１０１の表示制御装置及び１０２の表示装置の一組を表示装置と称することもある。また、複数個の前記表示装置を組合わせた装置は、マルチディスプレイ装置と称する。
【００３１】
１０３は表示データを入力する表示データバスであり、１０４は入力データ処理回路であり、１０５は当該マルチディスプレイインタフェース回路１０１内部に表示データを転送する表示データバスであり、１０６は次段のマルチディスプレイインタフェース回路１０１に表示データを転送する表示データバスである。１０７はフレームメモリ書込み制御回路であり、１０８はフレームメモリ読み出し制御回路である。１０９はデータセレクタであり、１１０はフレームメモリａであり、１１１はフレームメモリｂである。１１２は拡大データ処理回路であり、１１３は拡大データ処理回路の出力する表示データを転送する表示データバスである。１１４は出力タイミング信号生成回路であり、１１５は出力タイミング信号である同期信号を転送する制御信号バスである。１１６の表示データバス１１３と制御信号バス１１５で転送される表示データと同期信号が合成された液晶パネルインタフェース信号である。
【００３２】
１１７は水平書込み位置スタートレジスタであり、１１８は水平書込み幅レジスタであり、１１９は垂直書込み位置スタートレジスタであり、１２０は垂直書込み幅レジスタである。この各レジスタによって、表示データバス１０３及び１０５で転送される表示データの内フレームメモリａ１１０及びフレームメモリｂ１１１に書込む領域を設定することが可能になる。
【００３３】
１２１は拡大表示をする際に拡大率をＨ／Ｉ（Ｈ、Ｉは共に正の整数である）とした場合の拡大率の分子：Ｈを設定するレジスタであり、１２２は拡大率の分母Ｉを設定するレジスタである。１２３は水平読み出し位置レジスタであり、１２４は垂直読み出し位置レジスタである。尚、本実施例では、水平読み出し幅、及び垂直読み出し幅の値に関しては、水平書込み幅１１８及び垂直書込み幅１２０を適用している。この各レジスタによって液晶パネル１０２に表示する表示データをフレームメモリａ１１０及びフレームメモリｂ１１１から読み出す際の位置を設定できることになる。
【００３４】
１２５は水平周期レジスタであり、１２６は垂直周期レジスタであり、各々出力タイミング信号生成回路１１４で生成する水平同期信号の周期及び垂直同期信号の周期を設定する。この設定により、各種異なるタイミング仕様を有する液晶パネル１０２への表示が可能になる。尚、本出力タイミング信号生成回路１１４の生成するタイミング信号１２７がフレームメモリ読み出し回路１０８の動作の基準となる。
【００３５】
１２８はマイコンであり、１２９は識別データであるＩＤを保持するＩＤ設定回路であり、１３０はデータ格納用メモリであり、１３１は制御データ処理回路である。１３２が外部システムと制御データのやり取りを行う制御信号バスであり、１３３は次段のマルチディスプレインタフェース回路１０１に接続し、制御データのやり取りを行う制御信号バスである。１３４はマルチディスプレイインタフェース回路１０１内部のデータバスであり、マイコン１２８と各レジスタ間のデータのやり取りを実施する。１３５は表示データを読み出すフレームメモリａ１１０またはフレームメモリｂ１１１を選択する信号である。
【００３６】
ここで、データ出力に使用される、１０７、１０８、１１０、１１１、１１２の構成をまとめてデータ出力部と称することとする。
【００３７】
また、前記データ出力部を制御するために使用される、１１７、１１８、１１９、１２０、１２１、１２２、１２３、１２４、１２５及び１２６の各レジスタ、１１４及び１２９の回路、マイコン１２８及びデータ格納メモリ１３０をまとめて制御部と称することとする。
【００３８】
図１において、システムから転送される表示データは、表示データバス１０３を介して転送される。表示データは入力データ処理回路１０４、表示データバス１０５を介して、データ出力部であるフレームメモリ書込み回路１０７に転送される。ここで、フレームメモリ書込み回路１０７は、水平カウンタ及び垂直カウンタを有し、制御部の一部である水平書込みスタート位置レジスタ１１７、水平書込み幅レジスタ１１８、垂直書込みスタート位置レジスタ１１９、垂直書込み幅レジ下１２０に設定された値と、前記水平カウンタ、垂直カウンタの出力するカウンタ値を比較して、フレームメモリａ１１０または、フレームメモリｂ１１１に書込む領域を決定して、書込み動作を実施する。
【００３９】
従って、水平書込みスタート位置レジスタ１１７の設定値を変更することで、フレームメモリａ１１０または、フレームメモリｂ１１１に書込む水平方向の位置を制御出来、水平書込み幅レジスタ１１８の設定値を変更することで、フレームメモリａ１１０または、フレームメモリｂ１１１に書込む水平方向の幅を制御出来、垂直書込みスタート位置レジスタ１１９の設定値を変更することで、フレームメモリａ１１０または、フレームメモリｂ１１１に書込む垂直方向の位置を制御出来、垂直書込み幅レジスタ１２０の設定値を変更することで、フレームメモリａ１１０または、フレームメモリｂ１１１に書込垂直方向の幅を制御出来る。
【００４０】
仮に、水平方向読み出し位置スタートレジスタ１２３を固定にし、水平書込みスタート位置レジスタ１１７の設定値を減少させると、予定していた表示画像部分の表示データ（以下、有効表示データと称する）がスタートする以前からデータを取り込みはじめるので、結果として余分に取り込んだデータを表示する。つまり、表示画面は右側に移動する。また、水平書込みスタート位置レジスタ１１７の設定値を増加させると、有効表示データがスタートした後からデータを取り込みはじめるので、結果として必要なデータを表示出来ず、途中から有効表示データを表示することになるので、表示画面は左側に移動することになる。
【００４１】
ここで、フレームメモリａ１１０または、フレームメモリｂ１１１に書込まれた表示データは、フレームメモリ読み出し回路１０８によって読み出され、拡大データ処理回路１０９を介して、液晶パネル１０２に転送される。ここで、フレームメモリａ１１０及びフレームメモリｂ１１１を２種類設けている理由は、フレームメモリａ１１０に入力する表示データを書込む場合、フレームメモリｂ１１１から液晶パネル１０２に転送する表示データを読み出す動作を実施し、フレームメモリａ１１０から液晶パネル１０２に転送する表示データを読み出す場合、フレームメモリｂ１１１に入力表示データを書込む動作を実施するためである。
【００４２】
制御部のマイコン１２８は、制御バス１３２から転送される制御データに含まれる命令を受け取り、データ格納メモリ１３０に格納されているデータを先に記載した各レジスタに展開する。この命令は、表示データの一部分、すなわち部分表示データを指定する命令である。つまり、制御部のマイコン１２８は、部分表示データを指定する命令を受け取った場合に、その部分表示データを出力部が出力するように、各レジスタにデータを展開することになる。
【００４３】
この際、制御バス１３２から制御データとして転送される命令には、先に示した認識データであるＩＤ番号が付加されることもある。このＩＤ番号は、マルチディスプレイの各インターフェース回路のうち、どのディスプレイインタフェース回路１０１に、当該命令を実施させるかを指示する役割を持つことになる。この場合、マイコン１２８はＩＤ設定回路１２９に設定されたＩＤ設定値と、命令に付随したＩＤ番号とを比較して、一致した場合、当該命令を実行することになる。
【００４４】
次に、第３図に示した画像を、４つの表示装置を持つマルチディスプレイ装置の各々の画面に第４図に示したように表示する場合について、具体的に説明する。
【００４５】
図３は、外部システムから入力される表示データフォーマットと液晶パネル４枚構成（同一表示画面）時の各レジスタの設定値概要を示した図である。３０２はシステムから転送される表示データであり、３０１はそのうち表示データが有効となる領域、すなわち有効表示データの領域を示している。ＨＳＹＮＣとは水平同期信号であり、１水平の表示データの基準となる信号である。ＶＳＹＮＣとは垂直同期信号であり、１フレームの表示データの基準となる信号である。
【００４６】
尚、本実施例では、水平方向の表示データが有効になるタイミングをＨＳＹＮＣ信号の立ち上がりエッジから‘Ａドット’目とし、水平方向の有効表示データ量を‘Ｂドット’とする。また、垂直方向の表示データが有効になるタイミングをＶＳＹＮＣ信号の立ち上がりエッジから‘Ｃライン’目とし、垂直方向の有効表示データ量を‘Ｄライン’とする。
【００４７】
図４は、図３記載の各レジスタ設定値で表示した際の表示例である。１０２は液晶パネルであり、４０１は各液晶パネル１０２の表示領域である。
【００４８】
尚、説明を分かり易くするため、各データ量について第３図と同じ符号を用いる。すなわち、液晶パネル１０２の水平方向の表示有効領域を‘Ｂドット’、垂直方向の表示有効領域を‘Ｄライン’とする。
【００４９】
また、液晶パネル１０２の上部の非表示領域の高さを‘ＵＤｍｍ’とし、液晶パネル１０２の下部の非表示領域の高さを‘ＤＤｍｍ’とし、液晶パネル１０２の右部の非表示領域の幅を‘ＬＤｍｍ’とし、液晶パネル１０２の右部の非表示領域の幅を‘ＲＤｍｍ’とする。
【００５０】
従って、本実施例の液晶パネル１０２の画素ピッチを‘Ｅｍｍ’とすると、液晶パネル１０２の上部の非表示領域は‘ＵＤ／Ｅドット’となり、液晶パネル１０２の下部の非表示領域は‘ＤＤ／Ｅドット’となり、液晶パネル１０２の右部の非表示領域は‘ＬＤ／Ｅドット’となり、液晶パネル１０２の右部の非表示領域は‘ＲＤ／Ｅドット’となる。
【００５１】
また、液晶パネル１０２の添え字−１、−２、−３、−４は、それぞれのＩＤ番号を示しており、ＩＤ番号‘１’の液晶パネル１０２−１が左上に位置し、ＩＤ番号‘２’の液晶パネル１０２−２が右上に位置し、ＩＤ番号‘３’の液晶パネル１０２−３が左下に位置し、ＩＤ番号‘４’の液晶パネル１０２−４が右下に位置するという情報を各々のＩＤは有している。
【００５２】
尚、本実施例では、説明を分かり易くするために、入力する表示解像度（水平方向の有効表示ドット数＝‘Ｂドット’、垂直方向の有効表示ライン＝‘Ｄライン’）と、表示する液晶パネルの解像度が一致しているものとして説明する。
【００５３】
図３に示した画像を図４に示すように表示する場合、外部から入力される制御データに含まれる情報は、各々図３に示した画像が部分表示データとなるよう、各表示制御装置が表示を制御することを指示する命令を含んでいる。また、各表示制御装置を指定するために、各命令にはＩＤ番号が付加されている。この命令を受け取った各表示制御装置は、以下のように制御部の有するレジスタに値を設定する。
【００５４】
水平書込み位置スタートレジスタ１１７には、水平同期信号ＨＳＹＮＣから有効表示データがスタートする位置のドット数（＝‘Ａドット’）が設定される。水平書込み幅レジスタ１１８には、有効表示データのドット数であるドット数（＝‘Ｂドット’）が設定される。垂直書込み位置スタートレジスタ１１９には、垂直同期信号ＶＳＹＮＣから有効表示データがスタートする位置のライン数（＝‘Ｃライン’）が設定される。水平書込み幅レジスタ１２０には、有効表示データのライン数であるライン数（＝‘Ｄライン’）が設定される。また、この際拡大率（分子）設定レジスタ１２１、拡大率（分母）設定レジスタ１２２には、同倍拡大を実施することから、いずれのレジスタも‘１’が設定される。これにより、ＩＤ番号１、２、３、４の設定がなされた各液晶パネル１０２−１、１０２−２、１０２−３、１０２−４に付随するフレームメモリａ１１０及びフレームメモリｂ１１１には、システムから転送される表示データの同一表示領域を取り込み、読み出すことになるので、同様な表示画像を得ることが可能になる。
【００５５】
次に、図５に示した画像を、第６図に示したように、４つの表示装置を持つマルチディスプレイ装置の各液晶パネルで表示領域を分割して拡大表示する場合について具体的に説明する。図６において、１０２は液晶パネルであり、６０１は各液晶パネル１０２の表示領域である。
【００５６】
ここで使用される制御データに含まれる情報には、各々図５に示した画像が部分表示データとなるよう、各表示制御装置が表示を制御することを指示する命令を含んでいる。また、各表示制御装置を指定するために、各命令にはＩＤ番号が付加されている。この命令を受け取った各表示制御装置は、以下のように制御部の有するレジスタに値を設定する。
【００５７】
図５に記載する様に、ＩＤ番号‘１’、‘３’の液晶パネル１０２−１、１０２−３に対応する設定に関して、水平書込み位置スタートレジスタ１１７は、水平同期信号ＨＳＹＮＣから有効表示データがスタートする位置のドット数（＝‘Ａドット’）が設定され、水平書込み幅レジスタ１１８は、有効表示データのドット数の半分のドット数（＝‘Ｂ／２ドット’）が設定される。また、ＩＤ番号‘２’、‘４’の液晶パネル１０２−２、１０２−４に対応する設定に関して、水平書込み位置スタートレジスタ１１７は、水平同期信号ＨＳＹＮＣから有効表示データがスタートする位置のドット数（＝‘Ａドット’）と、有効表示データのドット数の半分のドット数（＝‘Ｂ／２ドット’）を加算した値（＝‘Ａ＋Ｂ／２ドット’）が設定される。更に、水平書込み幅レジスタ１１８は、有効表示データのドット数の半分のドット数（＝‘Ｂ／２ドット’）が設定される。
【００５８】
次に、ＩＤ番号‘１’、‘２’の液晶パネル１０２−１、１０２−２に対応する設定に関して、垂直書込み位置スタートレジスタ１１９は、垂直同期信号ＶＳＹＮＣから有効表示データがスタートする位置のライン数（＝‘Ｃライン’）が設定され、垂直書込み幅レジスタ１２０は、有効表示データのライン数の半分のライン数（＝‘Ｄ／２ライン’）が設定される。次にまた、ＩＤ番号‘３’、‘４’の液晶パネル１０２−３、１０２−４に対応する設定に関して、垂直書込み位置スタートレジスタ１１９は、垂直同期信号ＶＳＹＮＣから有効表示データがスタートする位置のライン数（＝‘Ｃライン’）と、有効表示データのライン数の半分のライン数（＝‘Ｄ／２ライン’）を加算した値（＝‘Ｃ＋Ｄ／２ライン’）が設定される。更に、垂直書込み幅レジスタ１２０は、有効表示データのライン数の半分のライン数（＝‘Ｄ／２ライン’）が設定される。
【００５９】
そして、いずれのマルチディスプレイインタフェース回路１０１の拡大率を設定するレジスタにも、拡大率設定（分子）レジスタ１２１には、‘２’が設定され、拡大率設定（分母）レジスタ１２２には、‘１’が設定される。これにより、これにより、図６に記載する様な表示画像を得ることが可能になる。
【００６０】
つまり、ＩＤ番号‘１’の液晶パネル１０２−１は、入力する１フレーム分の表示データのうち、左上画面に相当する部分表示データを２倍拡大で表示し、ＩＤ番号‘２’の液晶パネル１０２−２は、入力する１フレーム分の表示データのうち、右上画面に相当する部分表示データを２倍拡大で表示し、ＩＤ番号‘３’の液晶パネル１０２−３は、入力する１フレーム分の表示データのうち、左下画面に相当する部分表示データを２倍拡大で表示し、ＩＤ番号‘４’の液晶パネル１０２−４は、入力する１フレーム分の表示データのうち、右下画面に相当する部分表示データを２倍拡大で表示する。
【００６１】
これにより、表示データバス１０３で転送される表示データを４枚の液晶パネル１０２を用いたマルチディスプレイ装置に拡大表示することが可能になる。
【００６２】
次に、図６に記載したグラフにおいて、斜め線の連続性がなくなる点を考慮した表示を行う例を、図７、図８を用いて次に説明する。
【００６３】
ここで、「連続性がなくなる」とは具体的には次のことを指す。ＩＤ番号‘３’の液晶パネル１０２−３の表示画面の上側に連続する表示データは、ＩＤ番号‘１’の液晶パネル１０２−１の下部非表示領域と、ＩＤ番号‘３’の液晶パネル１０２−３の上部非表示領域を飛び越えたかたちで、ＩＤ番号‘１’の液晶パネル１０２−１に表示されることになる。したがって、ＩＤ番号‘３’の液晶パネル１０２−３に表示される線の終点の水平位置と、ＩＤ番号‘１’の液晶パネル１０２−１に表示される線の始点の水平位置とがほぼ同じ位置に位置することになり、連続性のない表示状態となる。同様に、ＩＤ番号‘１’の液晶パネル１０２−１の表示画面の右側に連続する表示データは、ＩＤ番号‘１’の液晶パネル１０２−１の右部非表示領域と、ＩＤ番号‘２’の液晶パネル１０２−２の左部非表示領域を飛び越えたかたちで、ＩＤ番号‘２’の液晶パネル１０２−２に表示されることになる。ＩＤ番号‘１’の液晶パネル１０２−１に表示される線の終点の垂直位置と、ＩＤ番号‘２’の液晶パネル１０２−２に表示される線の始点の垂直位置とがほぼ同じ位置に位置することで、連続性のない表示状態となることである。
【００６４】
尚、先に説明したように、本実施例の液晶パネル１０２の画素ピッチを‘Ｅｍｍ’とすると、液晶パネル１０２の上部の非表示領域は‘ＵＤ／Ｅドット’となり、液晶パネル１０２の下部の非表示領域は‘ＤＤ／Ｅドット’となり、液晶パネル１０２の右部の非表示領域は‘ＬＤ／Ｅドット’となり、液晶パネル１０２の右部の非表示領域は‘ＲＤ／Ｅドット’となる。
【００６５】
各液晶パネル１０２に付随するマルチディスプレイインタフェース回路１０１の各レジスタには、異なる設定値が設定される。
【００６６】
図７に記載する様に、ＩＤ番号‘１’、‘３’の液晶パネル１０２−１、１０２−３に対応する設定に関して、水平書込み位置スタートレジスタ１１７は、水平同期信号ＨＳＹＮＣから有効表示データがスタートする位置のドット数（＝‘Ａドット’）から、液晶パネル１０２の右側非表示領域のドット数換算値（＝‘ＲＤ／Ｅドット’）が減算された値（＝‘Ａ−ＲＤ／Ｅドット’）が設定される。水平書込み幅レジスタ１１８は、有効表示データのドット数の半分のドット数（＝‘Ｂ／２ドット’）が設定される。また、ＩＤ番号‘２’、‘４’の液晶パネル１０２−２、１０２−４に対応する設定に関して、水平書込み位置スタートレジスタ１１７は、水平同期信号ＨＳＹＮＣから有効表示データがスタートする位置のドット数（＝‘Ａドット’）と、有効表示データのドット数の半分のドット数（＝‘Ｂ／２ドット’）と、液晶パネル１０２の左側非表示領域のドット数換算値（＝‘ＬＤ／Ｅドット’）を加算した値（＝‘Ａ＋Ｂ／２＋ＬＤ／Ｅドット’）が設定される。更に、水平書込み幅レジスタ１１８は、有効表示データのドット数の半分のドット数（＝‘Ｂ／２ドット’）が設定される。
【００６７】
次に、ＩＤ番号‘１’、‘２’の液晶パネル１０２−１、１０２−２に対応する設定に関して、垂直書込み位置スタートレジスタ１１９は、垂直同期信号ＶＳＹＮＣから有効表示データがスタートする位置のライン数（＝‘Ｃライン’）から、液晶パネル１０２の下側非表示領域のドット数換算値（＝‘ＤＤ／Ｅドット’）が減算された値（＝‘Ｃ−ＤＤ／Ｅドット’）が設定される。垂直書込み幅レジスタ１２０は、有効表示データのライン数の半分のライン数（＝‘Ｄ／２’）が設定される。
【００６８】
従って、表示データバス１０３から転送される非表示データを含む表示データがフレームメモリａ１１０またはフレームメモリｂ１１１に書込まれることになる。次にまた、ＩＤ番号‘３’、‘４’の液晶パネル１０２−３、１０２−４に対応する設定に関して、垂直書込み位置スタートレジスタ１１９は、垂直同期信号ＶＳＹＮＣから有効表示データがスタートする位置のライン数（＝‘Ｃライン’）と、有効表示データのライン数の半分のライン数（＝‘Ｄ／２ライン’）と、液晶パネル４０１の上側非表示領域のドット数換算値（＝‘ＵＤ／Ｅドット’）を加算した値（＝‘Ｃ＋Ｄ／２＋ＵＤ／Ｅドット’）が設定される。更に、垂直書込み幅レジスタ１２０は、有効表示データのライン数の半分のライン数（＝‘Ｄ／２’）が設定される。
【００６９】
従って、フレームメモリａ１１０またはフレームメモリｂ１１１には、表示データバス１０３で転送される非表示領域のデータを含む表示データが書込まれることになる。
【００７０】
そして、いずれのマルチディスプレイインタフェース回路１０１の拡大率を設定するレジスタにも、拡大率設定（分子）レジスタ１２１には、‘２’が設定され、拡大率設定（分母）レジスタ１２２には、‘１’が設定される。
【００７１】
これにより、図６に記載する様な表示画像を得ることが可能になる。つまり、液晶パネル１０２−１、１０２−２，１０２−３、１０２−４が接触する各非表示領域に表示されるべき表示データを各マルチディスプレイインタフェース回路１０１で部分表示データとして取り込まず、各液晶パネル１０２に表示する表示データを補正することから、図８中に記載したグラフにおいて、斜め線の連続性を得ることが可能になる。以上の様にすることで、窓枠のある窓から室外を見ているように表示を見ることが可能になる。
【００７２】
次に、本発明の第２の実施例に関して、図９、図１０、図１１を用いて説明する。
【００７３】
図９は、本発明の第２の実施例を実現するマルチディスプレイのブロック図であり、図１０は外部システムから転送される表示データフォーマットであり、図１１は第２の実施例で表示した表示例である。
【００７４】
図９において、９０１は本発明のマルチディスプレイインタフェース回路であり、９０２は表示ポーズレジスタであり、表示データを読み出すフレームメモリをフレームメモリａ１１０またはフレームメモリｂ１１１に固定するレジスタである。９０３はこの表示ポーズレジスタ９０２の値を反映するフレームメモリ読み出し制御回路である。他の回路等に関しては、図１と同様な機能なので、ここでの説明は省略する。
【００７５】
図９において、表示ポーズレジスタ９０２は、フレームメモリ読み出し制御回路９０３に対して、表示データを読み出すフレームメモリをフレームメモリａ１１０またはフレームメモリｂ１１１に固定する機能を有する。従って、表示ポーズレジスタ９０２に、フレームメモリａ１１０を読み出し固定にする設定がなされた場合、フレームメモリ読み出し制御回路９０３は毎フレーム、フレームメモリａ１１０から表示データを読み出し続けることになり、フレームメモリ書き込み制御回路１０７では、フレームメモリｂ１１１に表示データバス１０３、１０５から転送される表示データを書き続けることになる。
【００７６】
同様に、表示ポーズレジスタ９０２に、フレームメモリｂ１１１を読み出し固定にする設定がなされた場合、フレームメモリ読み出し制御回路９０３は毎フレーム、フレームメモリｂ１１１から表示データを読み出し続けることになり、フレームメモリ書き込み制御回路１０７では、フレームメモリａ１１０に表示データバス１０３、１０５から転送される表示データを書き続けることになる。従って、表示データを読み出すフレームメモリが固定されると、表示データバス１０３、１０５から更新された表示データが転送されても、液晶パネル１０２に表示される表示データが更新されることがなくなる。
【００７７】
そして、表示ポーズレジスタ９０２に、表示データを読み出しするフレームメモリを固定する設定値が解除されると、フレームメモリ読み出し制御回路９０３とフレームメモリ書き込み制御回路１０７はフレームメモリａ１１０とフレームメモリａ１１１を交互に読み出し制御、書き込み制御を実施することから、液晶パネル１０２に表示する表示データが更新できることになる。
【００７８】
この動作に付いて、図１０に示した画像を図１１に示すようにマルチディスプレイ装置に表示する例を用いて、より具体的に説明する。
【００７９】
図１０において、図１０（ａ）、図１０（ｂ）、図１０（ｃ）は、いずれも表示データバス１０３から転送される表示データフォーマットであり、図１０（ａ）の３０１及び３０２は、図３に記載したものと同様で、外部システムから入力される表示データフォーマットであり、３０１は転送される表示データのうち有効表示データであり、３０２は非表示データを含む１フレーム分の表示データである。
【００８０】
図１０（ｂ）も同様であり、１００１は転送される表示データのうち有効表示データであり、１００２は非表示データを含む１フレーム分の表示データである。図１０（ｃ）も同様であり、１００３は転送される表示データのうち有効表示データであり、１００４は非表示データを含む１フレーム分の表示データである。
【００８１】
図１１において、１１０１−１、１１０１−３、１１０１−４は、図１０（ａ）記載の表示データを表示した例であり、１１０２−２は、図１０（ｂ）記載の表示データを表示した例であり、１１０３−３は、図１０（ｃ）記載の表示データを表示した例である。
【００８２】
始めに、表示データバス１０３、１０５からは図１０（ａ）記載の表示データ３０２が転送される。この時、ＩＤ番号‘１’、‘２’、‘３’、‘４’全ての液晶パネル１０２は、本発明の第１の実施例の図４に記載する様に、図１０（ａ）記載の有効表示データ３０１を表示する。そして、制御バス１３２から液晶パネル１０２−１、１０２−３、１０２−４に相当するＩＤ番号‘１’、‘３’、‘４’のマルチディスプレイインタフェース回路９０１に表示ポーズ命令が転送される。
【００８３】
各マルチディスプレイインタフェース回路９０１のマイコン１２８は、ＩＤ設定回路１２９で設定したＩＤ番号と命令によって転送されたＩＤ番号とを比較し、一致したマイコン１２８のみ、表示ポーズレジスタ９０２に表示ポーズの設定がなされる。これにより、ＩＤ番号‘１’、‘３’、‘４’が設定されたマルチディスプレイインタフェース回路９０１のフレームメモリ読み出し回路９０３のみ、データを読み出すフレームメモリが固定される。
【００８４】
この結果、液晶パネル１０２−１、１０２−３、１０２−４の表示は、図１０（ａ）記載の有効表示データ３０１が各々表示データ１１０１−１、１１０１−３、１１０１−４として固定表示される。
【００８５】
次に、表示データバス１０３、１０５から図１０（ｂ）記載の表示データ１００２が転送されると、表示ポーズ状態でない、液晶パネル１０２−２だけが、図１０（ｂ）記載の有効表示データ１００１を表示データ１１０２ー２として表示することになる。この時の表示状態が図１１の（ａ）に示す。
【００８６】
また、次に、制御バス１３２から、液晶パネル１０２−２に相当するＩＤ番号‘２’のマルチディスプレイインタフェース回路９０１に表示ポーズ命令が転送される。マルチディスプレイインタフェース回路９０１のマイコン１２８は、ＩＤ設定回路１２９で設定したＩＤ番号と命令によって転送されたＩＤ番号とを比較し、表示ポーズレジスタ９０２に表示ポーズの設定がなされる。これにより、ＩＤ番号‘２’が設定されたマルチディスプレイインタフェース回路９０１のフレームメモリ読み出し回路９０３のみ、データを読み出すフレームメモリが固定される。
【００８７】
この結果、液晶パネル１０２−１、１０２−４の表示は、図１０（ａ）記載の有効表示データ３０１が各々表示データ１１０１−１、１１０１−４として固定表示され、液晶パネル１０２−２の表示は、図１０（ｂ）記載の有効表示データ１００１が表示データ１１０２−２として固定表示される。
【００８８】
この際に、制御バス１３２から液晶パネル１０２−３に相当するＩＤ番号‘３’のマルチディスプレイインタフェース回路９０１に表示ポーズ解除の命令が転送される。マルチディスプレイインタフェース回路９０１のマイコン１２８は、ＩＤ設定回路１２９で設定したＩＤ番号と転送された制御データに含まれる命令に付加されたＩＤ番号とを比較し、表示ポーズレジスタ９０２に表示ポーズ解除の設定がなされる。
【００８９】
これにより、ＩＤ番号‘３’が設定されたマルチディスプレイインタフェース回路９０１のフレームメモリでは、表示データの更新が実施される。つまり、表示データバス１０３、１０５から図１０（ｃ）記載の有効表示データ１００３が転送されると、表示ポーズ状態でない、液晶パネル１０２−３だけが、図１０（ｃ）記載の有効表示データ１００３を表示データ１１０３−３として表示することになる。この時の表示状態を図１１の（ｂ）に示す。
【００９０】
以上の様に、本発明の第２の実施例は、表示ポーズ機能を設けることで、液晶パネル毎に表示データバスを設けることなく、複数の異なる表示データを表示出来る。
【００９１】
また、本第２の実施例では、各ＩＤ番号の液晶パネル１０２において、水平書き込み位置スタートレジスタ１１７、水平書き込み幅レジスタ１１８、垂直書き込み位置スタートレジスタ１１９、垂直書き込み幅レジスタ１２０、拡大率（分子）設定レジスタ１２１、拡大率（分母）設定レジスタ１２２は全て同一の値で、図３、図４の実施例と同様にしてきたが、図５、図６との組み合わせ等各種組み合わせでその表示パターンを可変にできることは言うまでもない。
【００９２】
次に、本発明の第３の実施例に関して、図１２、図１３、図１４を用いて説明する。
【００９３】
図１２は、本発明の第３の実施例を実現するマルチディスプレイのブロック図であり、図１３はシステムから転送された表示データフォーマットであり、図１４は第３の実施例で表示した表示例である。
【００９４】
図１２において、１２０１は本発明のマルチディスプレイインタフェース回路であり、１２０２は表示データが転送されるもう一方の表示データバスであり、１２０３は表示データバス１２０２から転送される表示データを処理する入力データ処理回路であり、１２０５は入力表示データ切り替えレジスタであり、１２０６は次段に表示データを転送する表示データバスである。他の回路等に関しては、図１と同様な機能なので、ここでの説明は省略する。
【００９５】
図１３において、図１３（ａ）は表示データバス１０３から転送される表示データフォーマットであり、図１３（ｂ）は表示データバス１２０２から転送される表示データフォーマットである。図１３（ａ）において、１３０１は表示データバス１０３から転送される表示データのうち有効表示データであり、１３０２は非表示データを含む１フレーム分の表示データである。図１３（ｂ）も同様であり、１３０３は表示データバス転送される表示データのうち有効表示データであり、１３０４は非表示データを含む１フレーム分の表示データである。
【００９６】
図１４において、液晶パネル１０２−１、１０２−３は、図１３（ａ）記載の表示データ１３０１を表示した例であり、１０２−２、１０２−４は、図１３（ｂ）記載の表示データ１３０３を表示した例である。
【００９７】
次のこの本発明の第３の実施例に関して、詳細な動作を説明する。
【００９８】
図９において、表示データ切り替えレジスタ１２０５は、表示データバス１０３と表示データバス１２０２から転送される各々の表示データを選択することが可能になる。従って、表示データ切り替えレジスタ１２０３によって表示データバス１０３で転送される表示データが選択されると、図１３（ａ）記載の有効表示データ１３０１が、フレームメモリａ１１０またはフレームメモリｂ１１１に書込まれ、読み出されて液晶パネル１０２に表示されることになる。また、表示データ切り替えレジスタ１２０３によって表示データバス１２０２で転送される表示データが選択されると、図１３（ｂ）記載の有効表示データ１３０３が、フレームメモリａ１１０またはフレームメモリｂ１１１に書込まれ、読み出されて液晶パネル１０２に表示されることになる。
【００９９】
これにより、液晶パネル１０２に表示する表示データを選択することが可能になる。
【０１００】
この様子を図１３、図１４を用いて説明する。始めに、図１３（ａ）に記載する様に、表示データバス１０３から表示データ１３０２が転送される。同様に、図１３（ｂ）に記載する様に、表示データバス１２０２から表示データ１３０４が転送される。そして、図１４に記載するＩＤ番号‘１’、‘３’の液晶パネル１０２に対応するマルチディスプレイインタフェース回路１２０１内の表示データ切り替えレジスタ１２０５は、図１３（ａ）に記載する表示データバス１０３からの表示データ１３０２を選択する。
【０１０１】
同様に、ＩＤ番号‘２’、‘４’の液晶パネル１０２に対応するマルチディスプレイインタフェース回路１２０１内の表示データ切り替えレジスタ１２０５は、図１３（ｂ）に記載する表示データバス１２０２からの表示データ１３０４を選択する。
【０１０２】
尚、表示データ切り替え制御は、本発明の第１の実施例及び第２の実施例と同様に、制御バス１３２から得られた、液晶パネル１０２に相当するＩＤ番号を付加した命令を、マイコン１２８がＩＤ設定回路１２９で設定したＩＤ番号と比較することで、該当する表示データバスを選択することになる。
【０１０３】
以上の様に、本発明の第３の実施例は、表示データバス切り替え機能を設けることで、液晶パネル毎に異なるソースの有効表示データを表示出来る効果がある。また、本第３の実施例では、各ＩＤ番号の液晶パネル１０２において、水平書き込み位置スタートレジスタ１１７、水平書き込み幅レジスタ１１８、垂直書き込み位置スタートレジスタ１１９、垂直書き込み幅レジスタ１２０、拡大率（分子）設定レジスタ１２１、拡大率（分母）設定レジスタ１２２は全て同一の値で、図３、図４の実施例と同様にしてきたが、図５、図６との組み合わせ等各種組み合わせでその表示パターンを可変にできることは言うまでもない。
【０１０４】
また、第２の実施例の表示ポーズ機能を付加することで、その表示パターンを可変にできることは言うまでもない。
【０１０５】
また、本発明の第１の実施例、第２の実施例、第３の実施例において、４枚の液晶パネル１０２によるマルチディスプレイの動作を説明してきたが、４以上、すなわちＭ×Ｎ列（Ｎ、Ｍは０以上の整数）に並べられた場合でも適用可能なことは言うまでもない。
【０１０６】
また、上述した表示データバス１２０２及び入力データ処理回路１２０３は２以上でもよい。
【０１０７】
次に、本発明の第４の実施例を図１５を用いて説明する。
【０１０８】
図１５は、４つの表示装置を有するマルチディスプレイ装置と一つの制御装置で構成したマルチディスプレイシステムである。１５０１は制御装置で、パーソナルコンピュータを例に記載する。１５０２は中央演算装置で、各種演算機能を実現する。１５０３はメインメモリで、プログラム等を格納する。１５０４はネットワークＩ／Ｏで、１５０５はネットワークであり、外部とのデータのやり取りを実施する。１５０６はシステムバスであり、１５０７はグラフィックコントローラで、１５０８はグラフィックメモリで、このグラフィックメモリ１５０８に対してグラフィックコントローラ１５０７は表示すべきデータを書込み、読み出して外部液晶マルチディスプレイにデータを転送する。１５０９は汎用Ｉ／Ｏポートであり、各種命令を液晶マルチディスプレイに転送する。１５１０は表示データバスであり、図１記載の表示データバス１０３等に相当する。１５１１、１５１２、１５１３はデージーチェインされた表示データバスであり、図１記載の表示データバス１０６等に相当する。１５１４は制御信号バスであり、図１記載の制御信号バス１３２等に相当する。１５１５、１５１６、１５１７はデージーチェインされた制御信号バスであり、図１記載の制御信号バス１３３等に相当する。
【０１０９】
１５１８、１５１９、１５２０、１５２１はマルチディスプレイインタフェース回路であり、図１記載のマルチディスプレイインタフェース回路１０１等に相当する。１５２２、１５２３、１５２４、１５２５は表示データバスであり、図１記載の表示データバス１１６に相当する。１５２６、１５２７、１５２８、１５２９は液晶パネルであり、図１記載の液晶パネル１０２に相当する。１５３０は記憶装置である。
【０１１０】
次に、本発明の第４の実施例である図１５の動作に関して説明する。図１５において、液晶パネル１５２６等に表示する表示データは、ネットワーク１５０５を介して転送される。この転送された表示データは、記憶装置１５３０に格納される。
【０１１１】
中央演算回路１５０２はメインメモリ１５０３に格納されたプログラムに従って、記憶装置１５３０に格納した表示データをグラフィックコントローラ１５０７を介して、グラフィックメモリ１５０８に書込む。グラフィックコントローラ１５０７は、グラフィックメモリ１５０８に書込まれた、表示データを読み出し、表示データバス１５１０に出力する。
【０１１２】
また、中央演算回路中央演算回路１５０２は、メインメモリ１５０３に格納されたプログラムに従って、汎用Ｉ／Ｏポート１５０９を介して、制御信号バス１５１４に制御データを転送する。各マルチディスプレイインタフェース回路１５１８、１５１９、１５２０、１５２１では、表示データバス１５１０で転送される表示データを、制御信号バス１５１４で転送される制御データに応じて、各種フォーマットの表示データを液晶パネル１５２６、１５２７、１５２８、１５２９に表示することになる。
【０１１３】
この制御データには、制御装置に入力される、マルチディスプレイ装置への表示データの各々（すなわち部分表示データ）を指定する情報が含まれる。また、Ｍ×Ｎ列のマルチディスプレイ装置の各々の表示装置の配置を示す情報、例えば各表示装置の有する認識データであるＩＤ番号が付加される。
【０１１４】
これらの制御データに使用される情報は、情報処理装置の記憶装置に記憶されており、外部からのデータ入力およびプログラムによって適当な制御データが生成され、制御装置に送信される。
【０１１５】
以上の様に、１つの制御装置１５０１で複数の表示装置の表示１５２６、１５２７、１５２８、１５２９を同時に制御することが可能になる。
【０１１６】
次に、本発明の第５の実施例を図１６を用いて説明する。図１６は、本発明のマルチディスプレイシステムを複数用いた場合のシステム構成例である。１６０１は、液晶パネルを９枚で構成したマルチディスプレイ装置の例であり、１６０２は液晶パネル及びマルチディスプレイインタフェース回路を含む表示装置である。１６０３は、液晶パネルを４枚で構成したマルチディスプレイ装置であり、１６０４は液晶パネル及びマルチディスプレイインタフェース回路を含む表示装置である。表示装置１６０２と表示装置１６０４の表示解像度はこの場合、異なってもよい。
【０１１７】
１６０５はマルチディスプレイ装置１６０１に表示データを転送する表示データバスであり、図１記載の表示データバス１０３に相当する。１６０６は制御信号バスであり、命令を含む制御データを転送する機能を有し、図１記載の制御信号バス１３２に相当する。１６０７は制御装置であり、ＰＣ等で構成することが可能である。１６０８はマルチディスプレイ装置１６０３に表示データを転送する表示データバスであり、図１記載の表示データバス１０３に相当する。１６０９は制御信号バスであり、命令を含む制御データを転送する機能を有し、図１記載の制御信号バス１３２に相当する。１６１０は制御装置であり、ＰＣ等で構成することが可能である。表示データバス１６０５、制御信号バス１６０６、表示データバス１６０８、制御信号バス１６０９はマルチディスプレイ装置１６０１、１６０３内部でデージーチェイン接続されている。１６１１はネットワークバスであり、１６１２はサーバ装置である。次にその動作に関して説明する。
【０１１８】
マルチディスプレイ装置１６０１に表示する表示データは、予め、もしくは定期的にサーバ装置１６１２からネットワークバス１６１１を介して、各々のマルチディスプレイシステムの制御装置１６０７、１６１０に転送される。制御装置１６０７、１６１０では、転送された表示データを各々表示データバス１６０５、１６０８に転送する。この際、制御信号バス１６０６、１６０９から各表示データに応じた命令をマルチディスプレイ装置１６０１、１６０３に転送し、各種の表示を得ることが可能になる。
【０１１９】
以上の様に、１つの制御装置１６０７または１６１０で複数の液晶パネル同時に制御することが可能になるとともに、マルチディスプレイ装置１６０１、１６０３に合わせた拡大表示等が可能になる。尚、ここではデージーチェイン接続の例を示したが、他の接続方法でも同様に本発明を実現できる。
【０１２０】
次に、本発明の第６の実施例を図１７を用いて説明する。図１７は、マルチディスプレイインタフェース回路の基板レベルのブロック図を記載したものであり、ＣＲＴ（Ｃａｔｈｏｄ  Ｒａｙ  Ｔｕｂｅ）インタフェースであるアナログ信号を入力する構成となっている。
【０１２１】
１７０１、１７０２、１７０４は制御信号バスであり、１７０３はハブである。これは、図１の制御データ処理回路に相当する。１７０５、１７０７、１７０９はアナログ表示データを転送する表示データバスであり、デジタル信号の水平同期信号、垂直同期信号を含むものとする。１７０６、１７０８はバッファアンプである。１７１０はドットクロック再生回路であり、  ＣＲＴ（Ｃａｔｈｏｄ  Ｒａｙ  Ｔｕｂｅ）インタフェースでは、表示データに同期したドットクロックが転送されてこないことから、水平同期信号を入力して、ドットクロックを再生する必要がある。
【０１２２】
１７１１はアナログデジタル変換回路であり、アナログ表示データをデジタル表示データに変換する機能を有する。１７１２はマイコンであり、１７１３はメモリであり、１７１４はマルチスキャンコントローラであり、図１に記載するような各種レジスタを含んでいる。１７１５、１７１６はフレームメモリであり、１７１７はトランシーバ回路である。１７１８はドットクロックであり、アナログデジタル変換回路１７１１のサンプリングクロックに適用されるとともに、マルチスキャンコントローラ１７１４の動作クロックとして用いられる。
【０１２３】
１７１９はアナログデジタル変換回路１７１１で変換されたデジタル表示データを転送する表示データバスである。１７２０はマイコン１７１２がドットクロック再生回路１７１０に設定値を転送する制御バスである。１７２１はマイコン１７１２とメモリ１７１３間でデータのやり取りを行うデータバスである。１７２２はマイコン１７１２とマルチスキャンコントローラ１７１４でデータのやり取りを行うデータバスである。１７２３はマルチスキャンコントローラ１７１４の出力する表示データ及び同期信号を転送する表示データバスであり、１７２４はトランシーバ回路１７１７の出力する表示データ及び同期信号を転送する表示データバスである。１７２５はＩＤ番号設定回路であり、１７２６はＩＤ番号をマイコン１７１２に転送するデータバスである。
【０１２４】
本実施例の動作に関して説明する。本実施例では、表示データバス１７０５からアナログ表示データと同期信号が転送されてくる。この転送されるアナログ表示データはバッファアンプ１７０６を介して増幅され、アナログデジタル変換回路１７１１に入力される。
また、バッファアンプ１７０６を介した同期信号はドットクロック再生回路１７１０に入力され、ドットクロックが再生される。尚、本ドットクロック再生回路１７１０はフェーズロックドループ回路等で構成可能である。また、アナログデジタル変換回路１７１１で変換されたデジタル表示データはマルチスキャンコントローラ１７１４に入力され、フレームメモリ１７１５、１７１６に記憶される。フレームメモリ１７１５、１７１６に記憶された表示データはマルチスキャンコントローラ１７１４で読み出され、液晶表示データバス１７２４を介して、液晶パネルに出力される。
【０１２５】
ここで、マルチスキャンコントローラ１７１４には、図１に記載する様な各種レジスタを設けてあることから、マイコン１７１２は制御信号バス１７０４で転送される制御データに含まれる命令に従って、各種レジスタに対応する値を設定することで、各種表示が可能になる。また、バッファアンプ１７０８は次段のマルチディスプレイインタフェース回路への表示データの転送を請け負い、ハブ１７０３は次段のマルチディスプレイインタフェース回路への制御データの転送を請け負うことになる。
【０１２６】
本実施例のマルチディスプレイインタフェース回路を各液晶パネルに対応させることで、マルチディスプレイが実現可能になる。また、この様に各機能は、各回路に分担された集積化が可能となる。
【０１２７】
次に、本発明の第７の実施例を図１８を用いて説明する。図１８は、マルチディスプレイインタフェース回路の基板レベルのブロック図を記載したものであり、デジタルの表示データをダイレクトに受け取る構成となっている。１８０１は表示データバスであり、１８０２はレシーバ回路であり、１８０３は表示データバスであり、１８０４はトランシーバ回路であり、１８０５は表示データバスである。表示データバス１８０１、１８０３、１８０５はデジタル表示データと水平同期信号、垂直同期信号、表示有効信号、ドットクロックを含んでいる。１８０６はドットクロックである。１８０７はデジタル表示データである。
【０１２８】
本実施例の動作に関して説明する。本実施例では、表示データバス１８０１からデジタル表示データと水平同期信号、垂直同期信号、表示有効信号、ドットクロックが転送されてくるので、図１７の実施例６に記載したアナログデジタル変換回路１７１１等が不要になる。また、レシーバ回路１８０４は次段のマルチディスプレイインタフェース回路への表示データの転送を請け負うことになる。
【０１２９】
尚、本実施例における他の動作は、図１７記載の第６の実施例と同様の動作となるので、説明を割愛する。この様な構成とすることで、デジタル表示データを転送するシステムにも適用が可能になる。
【０１３０】
次に、本発明の第８の実施例を図１９を用いて説明する。図１９は、本発明のマルチディスプレイを装置で用いた場合のシステム構成例である。１９０１は制御装置であり、ＰＣ等で構成することが可能である。１９０２は制御信号バスであり、命令を含む制御データを転送する。
【０１３１】
本実施例は、表示データを出力する制御装置と、制御データを出力する制御装置を分離した形の構成である。つまり、マルチディスプレイ装置１６０１に表示する表示データは、予め、もしくは定期的にサーバ装置１６１２からネットワークバス１６１１を介して、制御装置１６０７に転送され、制御データは、制御装置１９０１からマルチディスプレイ装置１６０１へ転送されることになる。
【０１３２】
これにより、表示データを出力する制御装置及びマルチディスプレイ装置１６０１が隣接して設置されている場合でも、制御データを出力する制御装置が遠隔操作が可能になる。
【０１３３】
次に、本発明の第１の実施例で記載した図４の等倍表示、図６の補正無拡大表示、図８の補正有拡大表示に関する命令の処理形態を図２０のフローチャートを用いて説明する。２００１は制御装置が発行するコマンド送信で、図１記載の制御信号バス１３２を介して転送される。２００２はコマンド受信で、２００３は転送される命令に含まれるＩＤ番号が該マルチスキャンインタフェース回路に該当するか否か判定する。２００４は図４記載の等倍拡大か否かを判定し、２００５は図６記載の補正表示無拡大表示か否かを判定し、２００６は図８記載の補正表示有拡大表示であることを意味する。
【０１３４】
２００７は図１記載のデータ格納メモリ１３０から設定値を読み込む動作を示したもので、２００８は図４記載の等倍拡大の設定値を読み込む動作を示し、２００９は図６記載の補正表示無拡大表示の設定値を読み込む動作を示し、２０１０は図８記載の補正表示有拡大表示の設定値を読み込む動作を示している。２０１１は各レジスタへの設定であり、２０１２は設定‘ＯＫ’の返信であり、２０１３は、制御信号バス１３２を介して転送される設定‘ＯＫ’を制御装置が受信することを示し、２０１４は終了を意味する。
【０１３５】
次に、動作に関して説明する。マルチディスプレイインタフェース回路では、はじめにＩＤ番号のチェックを実施し、該当する場合、等倍表示か、補正無拡大表示か、補正有拡大表示かの判定を行い、その判定結果に基づいて、データ格納メモリ１３０から該当する設定値を読み込み、各レジスタへの設定を実施する。そして、設定が終了したのち、制御装置に設定‘ＯＫ’のコマンドを転送して一連の動作を完了させる。この様にすることで、各種表示フォーマットのマルチディスプレイ表示が可能になる。
【０１３６】
尚、図９、図１２に追加記載した機能等に関しても、本フローチャート上にコマンドの判定条件を付加することで容易に実現できることはいうまでもない。
【０１３７】
尚、本件発明は、以下の構成をとることも可能である。
【０１３８】
液晶パネルと、表示データを入力し、該液晶パネルに表示データを表示する表示装置を複数有するマルチディスプレイ装置において、表示装置は、フレームメモリに書込む手段と、フレームメモリに記憶した表示データを読み出す手段と、フレームメモリから読み出す際、または、読み出した後表示データを増加させる拡大処理を施す手段と、フレームメモリに書込む表示データの水平方向の書込み開始位置を指示する手段と、フレームメモリに書込む水平方向の書込み幅を指示する手段と、フレームメモリに書込む垂直方向の書込み開始位置を指示する手段と、フレームメモリに書込む垂直方向の書込み幅を指示する手段と、フレームメモリから読み出した表示データの拡大率を指示する手段と、該各手段に値を設定するマイコンと、該表示装置毎に設けられるＩＤ番号と、前記マイコンに命令を転送する制御信号とを有し、前記表示装置を２つ以上で構成することを特徴とするマルチディスプレイ装置。
【０１３９】
また、前記マルチディスプレイ装置において、フレームメモリに書込む表示データの水平方向の書込み開始位置を指示する手段と、フレームメモリに書込む水平方向の書込み幅を指示する手段と、フレームメモリに書込む垂直方向の書込み開始位置を指示する手段と、フレームメモリに書込む垂直方向の書込み幅を指示する手段と、フレームメモリから読み出した表示データの拡大率を指示する手段に同じ値を、設定し、複数の表示装置で同一な表示データを表示することを特徴とするマルチディスプレイ装置。
【０１４０】
さらに、前記マルチディスプレイ装置において、フレームメモリに書込む表示データの水平方向の書込み開始位置を指示する手段と、フレームメモリに書込む水平方向の書込み幅を指示する手段と、フレームメモリに書込む垂直方向の書込み開始位置を指示する手段と、フレームメモリに書込む垂直方向の書込み幅を指示する手段と、各表示装置毎に異なる値を設定し、異なる表示領域の表示データを表示することを特徴とするマルチディスプレイ装置。
【０１４１】
また、前記マルチディスプレイ装置において、表示装置が水平方向に連続する場合、当該表示装置は、隣接する表示装置が取り込み表示した最終ドットの次のドット位置を水平方向の書込み開始位置を指示する手段に設定することを特徴とするマルチディスプレイ装置。
【０１４２】
さらに、前記マルチディスプレイ装置において、表示装置が垂直方向に連続する場合、当該表示装置は、隣接する表示装置が取り込み表示した最終ラインの次のライン位置を垂直方向の書込み開始位置を指示する手段に設定することを特徴とするマルチディスプレイ装置。
【０１４３】
また、前記マルチディスプレイ装置において、液晶パネルの表示解像度よりも、少ない表示データを表示する際に、前記フレームメモリから読み出した表示データの拡大率を指示する手段に拡大率を設定し、拡大表示を行うことを特徴とするマルチディスプレイ装置。
【０１４４】
さらに、前記マルチディスプレイ装置において、液晶パネルの左右の非表示領域または左右いずれかの非表示領域に相当するドット数をａドットとした場合、表示装置が水平方向に連続する場合、当該表示装置は、隣接する表示装置が取り込み表示した領域の最終ドット位置に前記ａドットを加えたドット位置を水平方向の書込み開始位置を指示する手段に設定することを特徴とするマルチディスプレイ装置。
【０１４５】
また、前記マルチディスプレイ装置において、液晶パネルの左右の非表示領域または左右いずれかの非表示領域に相当するドット数をｂラインとした場合、表示装置が垂直方向に連続する場合、当該表示装置は、隣接する表示装置が取り込み表示した領域の最終ライン位置に、前記ｂラインを加えたライン位置を垂直方向の書込み開始位置を指示する手段に設定することを特徴とするマルチディスプレイ装置。
【０１４６】
あるいは、液晶パネルと、表示データを入力し、該液晶パネルに表示データを表示する表示装置を、複数有するマルチディスプレイ装置において、表示装置は、フレームメモリに書込む手段と、フレームメモリに記憶した表示データを読み出す手段と、フレームメモリから読み出す際、または、読み出した後表示データを増加させる拡大処理を施す手段と、フレームメモリに書込む表示データの水平方向の書込み開始位置を指示する手段と、フレームメモリに書込む水平方向の書込み幅を指示する手段と、フレームメモリに書込む垂直方向の書込み開始位置を指示する手段と、フレームメモリに書込む垂直方向の書込み幅を指示する手段と、フレームメモリから読み出した表示データの拡大率を指示する手段と、
表示データを読み出すフレームメモリを固定する手段と、該各手段に値を設定するマイコンと、該表示装置毎に設けられるＩＤ番号と、前記マイコンに命令を転送する制御信号とを有し、この表示装置を２つ以上で構成することを特徴とするマルチディスプレイ装置。
【０１４７】
また、前記マルチディスプレイ装置において、フレームメモリに書込む表示データの水平方向の書込み開始位置を指示する手段と、フレームメモリに書込む水平方向の書込み幅を指示する手段と、フレームメモリに書込む垂直方向の書込み開始位置を指示する手段と、
フレームメモリに書込む垂直方向の書込み幅を指示する手段と、フレームメモリから読み出した表示データの拡大率を指示する手段に同じ値を、設定し、複数の表示装置で同一な表示データを表示することを特徴とするマルチディスプレイ装置。
【０１４８】
さらに、前記マルチディスプレイ装置において、フレームメモリに書込む表示データの水平方向の書込み開始位置を指示する手段と、フレームメモリに書込む水平方向の書込み幅を指示する手段と、フレームメモリに書込む垂直方向の書込み開始位置を指示する手段と、フレームメモリに書込む垂直方向の書込み幅を指示する手段と、各表示装置毎に異なる値を設定し、異なる表示領域の表示データを表示することを特徴とするマルチディスプレイ装置。
【０１４９】
また、前記マルチディスプレイ装置において、第１の表示データが複数の表示装置に表示されている際に、前記複数の表示装置のうち一つ以上を表示データを読み出すフレームメモリを固定にし、その後第２の表示データを前記複数の表示装置に転送することで、第１の表示データと、第２の表示データを混在表示することを特徴とするマルチディスプレイ装置。
【０１５０】
あるいは、液晶パネルと、表示データを入力し、該液晶パネルに表示データを表示する表示装置を、複数有するマルチディスプレイ装置において、表示装置は、２つ以上の表示データを入力する手段と、２つ以上の表示データを選択する手段と、
フレームメモリに書込む手段と、フレームメモリに記憶した表示データを読み出す手段と、
フレームメモリから読み出す際、または、読み出した後表示データを増加させる拡大処理を施す手段と、フレームメモリに書込む表示データの水平方向の書込み開始位置を指示する手段と、フレームメモリに書込む水平方向の書込み幅を指示する手段と、フレームメモリに書込む垂直方向の書込み開始位置を指示する手段と、フレームメモリに書込む垂直方向の書込み幅を指示する手段と、フレームメモリから読み出した表示データの拡大率を指示する手段と、該各手段に値を設定するマイコンと、該表示装置毎に設けられるＩＤ番号と、前記マイコンに命令を転送する制御信号とを有し、この表示装置を２つ以上で構成することを特徴とするマルチディスプレイ装置。
【０１５１】
また、前記マルチディスプレイ装置において、フレームメモリに書込む表示データの水平方向の書込み開始位置を指示する手段と、フレームメモリに書込む水平方向の書込み幅を指示する手段と、フレームメモリに書込む垂直方向の書込み開始位置を指示する手段と、
フレームメモリに書込む垂直方向の書込み幅を指示する手段と、フレームメモリから読み出した表示データの拡大率を指示する手段に同じ値を設定し、２つ以上の入力表示データのうち、１つ以上の表示装置は一方の表示データを表示し、１つ以上の表示装置は、もう一方の表示データを表示することを特徴とするマルチディスプレイ装置。
【０１５２】
あるいは、１つの制御装置に、２つ以上の表示装置を備え、各表示装置は異なる画面を表示することをを特徴とするマルチディスプレイ装置。
【０１５３】
また、１つの制御装置に、２つ以上の表示装置を備え、前記制御装置と前記表示装置は１本の表示データバスと１本の制御信号バスで接続され、前記表示装置には異なる表示データが表示されることを特徴とするマルチディスプレイ装置。
【０１５４】
また、前記マルチディスプレイ装置で、２つ以上の表示装置において、１つの制御装置から転送される１画面分の表示データが２つ以上の表示装置にまたがって表示されること
を特徴とするマルチディスプレイ装置。
【０１５５】
さらに、前記マルチディスプレイ装置で、２つ以上の表示装置において、１つの制御装置から転送される１画面分の表示データが２つ以上の表示装置にまたがって表示され、且つ前記表示装置のつなぎめの非表示領域に該当する表示データが表示されないことを特徴とするマルチディスプレイ装置。
【０１５６】
【発明の効果】
本発明によれば、一つの制御装置で、複数の液晶パネルに各種フォーマットの表示をすることが可能になるので、マルチディスプレイシステムを安価で提供できる効果がある。
【０１５７】
また、本発明の実施例によれば、一つの制御装置で、動画像を複数の液晶パネルに各種フォーマットの表示が出来る効果がある。
【０１５８】
また、本発明によれば、  制御装置側で、表示データを加工する等の煩雑な作業を必要としないマルチディスプレイシステムを構成することが可能になる。
【０１５９】
また、複数の表示装置にまたがって、１つの表示データを連続的に表示する手段を設けていることから、表示データの配信側で、その作業を実施する必要がなく、使い勝手の良いマルチディスプレイシステムを構成できる効果がある。
【図面の簡単な説明】
【図１】第一の実施例のマルチディスプレイのブロック図
【図２】従来のマルチディスプレイのブロック図
【図３】第一の実施例の入力表示データフォーマット及びレジスタ設定概要図
【図４】第１の実施例の表示例を示す図
【図５】第１の実施例の入力表示データフォーマット及びレジスタ設定概要図
【図６】第１実施例の表示例を示す図
【図７】入力表示データフォーマット及びレジスタ設定概要図
【図８】第１の異なる表示例を示す図
【図９】第２の実施例のマルチディスプレイのブロック図
【図１０】第２の実施例の入力表示データフォーマット図
【図１１】第２の実施例の表示例を示す図
【図１２】第３の実施例のマルチディスプレイのブロック図
【図１３】第３の実施例の入力表示データフォーマット図
【図１４】第３の実施例の表示例
【図１５】本発明のマルチディスプレイシステムを示す図
【図１６】本発明のマルチディスプレイシステムを複数もつシステム構成図
【図１７】第６の実施例のインターフェース回路のブロック図
【図１８】第７の実施例のインターフェース回路のブロック図
【図１９】第８の実施例であるマルチディスプレイシステムを示す図
【図２０】インターフェース回路の処理形態のフローチャートを示す図
【符号の説明】
１０１…マルチディスプレイインタフェース回路、１０２…液晶パネル、１０３…表示データバス、１０４…入力データ処理回路、１０５…表示データバス、１０６…表示データバス、１０７…フレームメモリ書込み制御回路、１０８…フレームメモリ読み出し制御回路、１０９…データセレクタ、１１０…フレームメモリａ、１１１…フレームメモリｂ、１１２…拡大データ処理回路、１１３…表示データバス、１１４…出力タイミング信号生成回路、１１５…制御信号バス、１１６…液晶パネルインタフェース信号、１１７…水平書込み位置スタートレジスタ、１１８…水平書込み幅レジスタ、１１９…垂直書込み位置スタートレジスタ、１２０…垂直書込み幅レジスタ、１２１…拡大率（分子）設定レジスタ、１２２…拡大率（分母）レジスタ、１２３…水平読み出し位置レジスタ、１２４…垂直読み出し位置レジスタ、１２５…水平周期レジスタ、１２６…垂直周期レジスタ、１２８…マイコン、１２９…ＩＤ設定回路、１３０…データ格納用メモリ、１３１…制御データ処理回路、１３２…制御信号バス、１３３…制御信号バス、１３４…内部データバス、１３５…選択信号、２０１…モニタ部、２０２…画像入力部、２０３…Ａ／Ｄコンバータ、２０４…記憶選択部、２０５…画像メモリａ、２０６…画像メモリｂ、２０７…切り替え演算部、２０８…Ｄ／Ａコンバータ、２０９…表示部、２１０…制御信号受信部、２１１…デコード部、２１２…受信制御信号メモリ、２１３…ＩＤ設定部、２１４…モニタシステムメモリ、２１５…モニタ制御部、２１６…画像送信部、２１７…画像信号発生部、２１９…制御信号送出部、２２０…制御信号合成部、２２１…同期調整部、２２２…モニタＩＤ登録部、２２３…プログラムコード発生部、２２４…フレーム番号発生部、２２５…システムメモリ、２２６…制御部、２２７…モニタ制御プログラムメモリ、２２８…画像信号回線、２２９…制御信号回線、ＨＳＹＮＣ…水平同期信号、ＶＳＹＮＣ…垂直同期信号、３０２…転送される表示データ、３０１…有効表示データ領域、４０１、６０１…液晶パネルの表示領域、９０１…マルチディスプレイインタフェース回路、９０２…表示ポーズレジスタ、９０３…フレームメモリ読み出し制御回路、１２０１…本発明のマルチディスプレイインタフェース回路、１２０２…表示データバス、１２０３…入力データ処理回路、１２０４…表示データ切り替え回路、１２０５…表示データ切り替えレジスタ、１２０６…表示データバス、１５０１…制御装置（パーソナルコンピュータ）、１５０２…中央演算装置、１５０３…メインメモリ、１５０４…ネットワークＩ／Ｏ、１５０５…ネットワーク、１５０６…システムバス、１５０７…グラフィックコントローラ、１５０８…グラフィックメモリ、１５０９…汎用Ｉ／Ｏポート、１５１０…表示データバス、１５１１…表示データバス、１５１２…表示データバス、１５１３…表示データバス、１５１４…制御信号バス、１５１５…制御信号バス、１５１６…制御信号バス、１５１７…制御信号バス、１５１８…マルチディスプレイインタフェース回路、１５１９…マルチディスプレイインタフェース回路、１５２０…マルチディスプレイインタフェース回路、１５２１…マルチディスプレイインタフェース回路、１５２２…液晶表示データバス、１５２３…液晶表示データバス、１５２４…液晶表示データバス、１５２５…液晶表示データバス、１５２６…液晶パネル、１５２７…液晶パネル、１５２８…液晶パネル、１５２９…液晶パネル、１６０１…マルチディスプレイ、１６０２…最小単位の表示装置、１６０３…マルチディスプレイ、１６０４…最小単位の表示装置、１６０５…表示データバス、１６０６…制御信号バス、１６０７…制御装置、１６０８…表示データバス、１６０９…制御信号バス、１６１０…制御装置、１６１１…ネットワークバス、１６１２…サーバ装置、１７０１…制御信号バス、１７０２…制御信号バス、１７０３…ハブ、１７０４…制御信号バス、１７０５…表示データバス、１７０６…バッファアンプ、１７０７…表示データバス、１７０８…バッファアンプ、１７０９…表示データバス、１７１０…ドットクロック再生回路、１７１１…アナログデジタル変換回路、１７１２…マイコン、１７１３…メモリ、１７１４…マルチスキャンコントローラ、１７１５…フレームメモリ、１７１６…フレームメモリ、１７１７…トランシーバ回路、１７１８…ドットクロック、１７１９…表示データバス、１７２０…制御バス、１７２１…データバス、１７２２…データバス、１７２３…表示データバス、１７２４…表示データバス、１７２５…ＩＤ番号設定回路、１７２６…データバス、
１８０１…表示データバス、１８０２…レシーバ回路、１８０３…表示データバス、１８０４…トランシーバ回路、１８０５…表示データバス、１８０６…ドットクロック、１８０７…デジタル表示データ、１９０１…制御装置、１９０２…制御信号バス、２００１…コマンド送信、２００２…コマンド受信、２００３…ＩＤ判定、２００４…等倍拡大判定、２００５…表示無拡大表示判定、２００６…補正表示有拡大表示判定、２００７…データ格納メモリ読み込み動作、２００８…等倍拡大設定値読み込み動作、２００９…補正表示無拡大表示設定値読み込み動作、２０１０…補正表示有拡大表示設定値読み込み動作、２０１１…各レジスタ設定、２０１２…設定‘ＯＫ’返信、２０１３…設定‘ＯＫ’受信、２０１４…終了
【図１】
0003582382.tif 000002
【図２】
0003582382.tif 000003
【図３】
0003582382.tif 000004
【図４】
0003582382.tif 000005
【図５】
0003582382.tif 000006
【図６】
0003582382.tif 000007
【図７】
0003582382.tif 000008
【図８】
0003582382.tif 000009
【図９】
0003582382.tif 000010
【図１０】
0003582382.tif 000011
【図１１】
0003582382.tif 000012
【図１２】
0003582382.tif 000013
【図１３】
0003582382.tif 000014
【図１４】
0003582382.tif 000015
【図１５】
0003582382.tif 000016
【図１６】
0003582382.tif 000017
【図１７】
0003582382.tif 000018
【図１８】
0003582382.tif 000019
【図１９】
0003582382.tif 000020
【図２０】
0003582382.tif 000021